(57)【要約】      （修正有）【課題】机の上に立てて使用可能な文房具ケースを提供する。【解決手段】上下に長い箱形で上部から前部にかけて開口３が形成されるとともに内部に文房具が入る空間を有するケース本体２と、ケース本体２の前部で、開口３の下端近くに上下方向の下端側が装着されるとともに、上端側が開口３を開閉自在に塞ぐように上方へ延設された蓋体２０と、ケース本体２０に対し、蓋体を開閉自在に止着する第１、第２のラインファスナーと、を備え、ケース本体２と蓋体２０は柔軟性を有し、蓋体２０は上側先端部２３に磁石部材を含む蓋体磁着部４０を備え、ケース本体２を机の上に立てた状態で蓋体２０を開き、蓋体２０の先端側を机に向けて曲げると、蓋体磁着部４０が机に接触可能とした。【選択図】図７
0003214771.tif 000002
【実用新案登録請求の範囲】
【請求項１】
上下に長い箱形で上部から前部にかけて開口が形成されるとともに内部に文房具が入る空間を有するケース本体と、
ケース本体の前部で、前記開口の下端近くに上下方向の下端側が装着されるとともに、上端側が開口を開閉自在に塞ぐように上方へ延設された蓋体と、
ケース本体に対し、蓋体を開閉自在に止着する止着手段と、
を備え、
ケース本体と蓋体の内、少なくとも蓋体は柔軟性を有し、
蓋体は上側先端部に磁石部材を含む蓋体磁着部を備え、
ケース本体を机の上に立てた状態で蓋体を開き、蓋体の先端側を机に向けて曲げると、蓋体磁着部が机に接触可能としたこと、
を特徴とする文房具ケース。
【請求項２】
ケース本体の背面側に磁石部材または磁性体部材を含む背面側磁着部を備え、
蓋体を閉じたとき蓋体の上側先端部が開口の上部を越えてケース本体の背面側に回り、蓋体磁着部が背面側磁着部と着脱自在に磁着可能としたこと、
を特徴とする請求項１記載の文房具ケース。
【請求項３】
ケース本体の背面側磁着部の下側に磁石部材を含む第２の背面側磁着部を備えたこと、
を特徴とする請求項２記載の文房具ケース。
【請求項４】
上下に長い箱形で上部から、前部の上下方向の途中にかけて開口が形成されるとともに内部に文房具が入る空間を有するケース本体と、
ケース本体の前部で、前記開口の下端近くに上下方向の下端側が装着されるとともに、上端側が開口を開閉自在に塞ぐように上方へ延設された蓋体と、
ケース本体に対し、蓋体を開閉自在に止着する止着手段と、
を備え、
ケース本体と蓋体の内、少なくとも蓋体は柔軟性を有し、
ケース本体の前部で、開口の下方に前面側磁着部を備え、
蓋体は上側先端部に蓋体磁着部を備え、
前面側磁着部と蓋体磁着部の内、一方は磁石部材を含み、他方は磁石部材または磁性体部材を含み、
ケース本体を机の上に立てた状態で蓋体を開き、蓋体の先端部を下に向けて曲げたのちケース本体の底近くでケース本体寄りに上方へ曲げると、蓋体磁着部がケース本体の前面側磁着部に着脱自在に磁着するようにしたこと、
を特徴とする文房具ケース。
【請求項５】
ケース本体の背面側に背面側磁着部を備え、
背面側磁着部は、蓋体磁着部が磁石部材を含むときは、磁石部材または磁性体部材を含み、蓋体磁着部が磁性体部材を含み、磁石部材を含まないときは磁石部材を含むようにし、
蓋体を閉じたとき蓋体の上側先端部が開口の上部を越えてケース本体の背面側に回り、蓋体磁着部が背面側磁着部と着脱自在に磁着可能としたこと、
を特徴とする請求項４記載の文房具ケース。
【請求項６】
ケース本体の背面側磁着部の下側に磁石部材を含む第２の背面側磁着部を備えたこと、
を特徴とする請求項５記載の文房具ケース。
【考案の詳細な説明】
【技術分野】
【０００１】
本考案は文房具ケースに係り、とくに机の上に立てて使用可能な文房具ケースに関する。
【背景技術】
【０００２】
従来の筆記具ケースは横長で箱形のケース本体の上部に開いた長方形状の開口を回動式の蓋で開閉自在に蓋うようにした構成を有しており、机の上に横置きして使用するので、平面的な場所を取る欠点があった。
【先行技術文献】
【特許文献】
【０００３】
【特許文献１】特開２０１０−１５５０２４号公報
【考案の概要】
【考案が解決しようとする課題】
【０００４】
本考案は上記した従来技術の問題に鑑みなされたもので、机の上に立てて使用可能な文房具ケースを提供することを、その目的とする。
【課題を解決するための手段】
【０００５】
請求項１記載の考案では、
上下に長い箱形で上部から前部にかけて開口が形成されるとともに内部に文房具が入る空間を有するケース本体と、
ケース本体の前部で、前記開口の下端近くに上下方向の下端側が装着されるとともに、上端側が開口を開閉自在に塞ぐように上方へ延設された蓋体と、
ケース本体に対し、蓋体を開閉自在に止着する止着手段と、
を備え、
ケース本体と蓋体の内、少なくとも蓋体は柔軟性を有し、
蓋体は上側先端部に磁石部材を含む蓋体磁着部を備え、
ケース本体を机の上に立てた状態で蓋体を開き、蓋体の先端側を机に向けて曲げると、蓋体磁着部が机に接触可能としたこと、
を特徴としている。
請求項２記載の考案では、
ケース本体の背面側に磁石部材または磁性体部材を含む背面側磁着部を備え、
蓋体を閉じたとき蓋体の上側先端部が開口の上部を越えてケース本体の背面側に回り、蓋体磁着部が背面側磁着部と着脱自在に磁着可能としたこと、
を特徴としている。
請求項３記載の考案では、
ケース本体の背面側磁着部の下側に磁石部材を含む第２の背面側磁着部を備えたこと、
を特徴としている。
請求項４記載の考案では、
上下に長い箱形で上部から、前部の上下方向の途中にかけて開口が形成されるとともに内部に文房具が入る空間を有するケース本体と、
ケース本体の前部で、前記開口の下端近くに上下方向の下端側が装着されるとともに、上端側が開口を開閉自在に塞ぐように上方へ延設された蓋体と、
ケース本体に対し、蓋体を開閉自在に止着する止着手段と、
を備え、
ケース本体と蓋体の内、少なくとも蓋体は柔軟性を有し、
ケース本体の前部で、開口の下方に前面側磁着部を備え、
蓋体は上側先端部に蓋体磁着部を備え、
前面側磁着部と蓋体磁着部の内、一方は磁石部材を含み、他方は磁石部材または磁性体部材を含み、
ケース本体を机の上に立てた状態で蓋体を開き、蓋体の先端部を下に向けて曲げたのちケース本体の底近くでケース本体寄りに上方へ曲げると、蓋体磁着部がケース本体の前面側磁着部に着脱自在に磁着するようにしたこと、
を特徴としている。
請求項５記載の考案では、
ケース本体の背面側に背面側磁着部を備え、
背面側磁着部は、蓋体磁着部が磁石部材を含むときは、磁石部材または磁性体部材を含み、蓋体磁着部が磁性体部材を含み、磁石部材を含まないときは磁石部材を含むようにし、
蓋体を閉じたとき蓋体の上側先端部が開口の上部を越えてケース本体の背面側に回り、蓋体磁着部が背面側磁着部と着脱自在に磁着可能としたこと、
を特徴としている。
請求項６記載の考案では、
ケース本体の背面側磁着部の下側に磁石部材を含む第２の背面側磁着部を備えたこと、
を特徴としている。
【考案の効果】
【０００６】
本考案によれば、ケース本体をスチール等の磁性体製の机の上に立てた状態で、蓋体を開いて先端側を机に向けて曲げると、蓋体磁着部が机に接触して着脱自在に磁着するので、スチール等の磁性体製の机の上に文房具ケースを立てて、ケース本体に収納した筆記具等の文房具を使用する際に、ケース本体の底での支持に加えて蓋体磁着部が机に磁着することによっても支持させることができ、良好な安定性が得られる。また、文房具ケースが上下に長い箱形に形成されているので、机の上に立てたときに邪魔になり難くなる。
また他の考案によれば、ケース本体をスチール等の磁性体製の机の上に立てた状態で、蓋体を開いて先端部を下に向けて曲げたのちケース本体の底近くでケース本体寄りに上方へ曲げると、蓋体磁着部がケース本体の前面側磁着部に着脱自在に磁着するので、スチール等の磁性体製の机の上に文房具ケースを立てて、ケース本体に収納した筆記具等の文房具を使用する際に、ケース本体の底での支持に加えて輪状の蓋体によっても支持させることができ、良好な安定性が得られる。
また更に他の考案によれば、蓋体を閉じたとき蓋体の上側先端部がケース本体の開口の上部を越えてケース本体の背面側に回り、蓋体磁着部がケース本体の背面側磁着部と着脱自在に磁着可能としたことにより、蓋体を閉じたときに蓋体磁着部とケース本体の背面側磁着部を磁着させることで、蓋体の先端部をケース本体の背面側に確実に止着することができる。
また他の考案によれば、ケース本体に備えた背面側磁着部をスチール等の磁性体製のホワイトボードや机の前面に磁着させることで、ホワイトボードの内、ユーザが書き込みをしている近くなどの任意の所望場所に文房具ケースを縦向きに装着させて、ケース本体に収納したホワイトボードマーカ等の文房具を使用したり、スチール等の磁性体製の机の前面に縦向きに装着させて、机の上の場所をとらないようにすることもできる。
【図面の簡単な説明】
【０００７】
【図１】図１は本考案に係る文房具ケースの外観斜視図である（実施例１）。
【図２】文房具ケースの正面図である。
【図３】文房具ケースの側面図である。
【図４】文房具ケースの背面図である。
【図５】文房具ケースの蓋体のラインファスナーを開いた状態を示す説明図である。
【図６】机の上での文房具ケースの使用方法を示す説明図である。
【図７】図６の文房具ケースを側面方向から見た説明図である。
【図８】ホワイトボードに対する文房具ケースの使用方法を示す説明図である。
【図９】文房具ケースの変形例を示す斜視図である。
【図１０】図９の文房具ケースの使用方法を示す説明図である。
【図１１】図１０の文房具ケースを側面方向から見た説明図である。
【考案を実施するための最良の形態】
【０００８】
以下、本考案の最良の形態を実施例に基づき説明する。
【実施例１】
【０００９】
図１乃至図５を参照して本考案の一実施例を説明する。図１は本考案に係る文房具ケースの外観斜視図、図２は文房具ケースの正面図、図３は文房具ケースの側面図、図４は文房具ケースの背面図、図５は文房具ケースの蓋体を開いた状態を示す説明図である。
図１乃至図５において、１は上下に縦長で直方体に近い形に形成された携帯可能な文房具ケースであり、全体が柔軟性を有している。文房具ケース１の内、２は上下に縦長で直方体に近い箱形に形成された柔軟性の有るケース本体であり、上部から、前部の上下方向の中央近くにかけて開口３（図５、図６参照）が形成されるとともに内部にボールペン、鉛筆、直定規、ホワイトボードマーカ等が縦に入る収納空間４（図５、図６参照）を有している。ケース本体２は各々が柔軟性の有るシート状のプラチック材から成り、略長方形状の前面部材５、左側面部材６、右側面部材７、背面部材８と、略正方形状の底面部材９とを各々の端縁近くで縫着して箱形に形成した外装部１０の内側に、外装部１０と同形の箱形で一回り小さく柔軟性の有る織り布により形成した内装部１１が縫着されることで形成されている。外装部１０の底面部材９の上面には略正方形の芯材（図示せず）が一体的に装着されている。
左側面部材６と右側面部材７の上端部前側の隅部の端縁は円弧状に丸く形成されている（図３参照）。
【００１０】
２０はケース本体２の開口３を開閉自在に塞ぐための柔軟性があるマット状の蓋体であり、柔軟性の有るシート状のプラチック材から成る外装部２１の裏側に、外装部２１と同形で柔軟性の有る織り布により形成した内装部２２が縫着されることにより、真っ直ぐに展ばしたとき縦長の略長方形となる形状に形成されている。蓋体２０はケース本体２の前部の開口３のすぐ下の裏側に、開口３の下端縁に沿って上下方向の下端側が縫着により装着されており、上端側が開口３を開閉自在に塞ぐように上方へＪ字状に延設されており、先端部２３が開口３の上部を超えてケース本体２の背面側の上端部まで回るように配設されている。
【００１１】
ケース本体２の背面側の上端部と下端部には、背面部材８の前面側に接着により装着された円盤状のネオジム磁石部材から成る背面側磁着部３０、３１が備えられている（図３参照）。背面側磁着部３０、３１はケース本体２を立てた縦向きの姿勢で、スチール等の磁性体製で鉛直に配設したホワイトボード、スチール等の磁性体製の机の前面等に磁着により着脱自在とする。
【００１２】
一方、蓋体２０の上側の先端部２３には、外装部２１の裏面側に接着により装着された円盤状のネオジム磁石部材から成る蓋体磁着部４０が備えられている。蓋体磁着部４０は開口３を塞いだ蓋体２０の先端部２３をケース本体２の背面側上端部に回したとき、背面側磁着部３０と着脱自在に磁着し、蓋体２０を閉じ状態に保持する。また、ケース本体２をスチール等の磁性体製の机の上に立てた状態で蓋体２０を開口３の下端近くを除いて開き、蓋体２０を湾曲させて先端側を机に向けて湾曲させたとき、先端部２３が机の上面に届いて略水平に当接し、蓋体磁着部４０が机の上面に略水平に接触して磁着により着脱自在とする。
【００１３】
ケース本体２の開口３の左端縁と蓋体２０の左端縁には上下方向に一組のラインファスナー部材５０、５１が縫着されており、ラインファスナー部材５０、５１に摺動自在に嵌合されたスライダー金具５２とともに第１のラインファスナー５３が構成されている。また、ケース本体２の開口３の右端縁と蓋体２０の右端縁には上下方向に一組のラインファスナー部材６０、６１が縫着されており、ラインファスナー部材６０、６１に摺動自在に嵌合されたスライダー金具６２とともに第２のラインファスナー６３が構成されている。第１、第２のラインファスナー５３、６３により、ケース本体２に対し、蓋体２０を開閉自在に止着する止着手段が構成されている。
左右のスライダー金具５２、６２には引っ張り紐７０が両端に設けたリング金具７１、７２により連結されている。
【００１４】
次に、図６乃至図８を参照して上記した文房具ケースの使用方法を説明する。
なお最初、文房具ケース１は空であり、蓋体２０は図１乃至図４の如く閉じているものとする。
（１）文房具の収納
文房具ケース１にボールペン、鉛筆、直定規、ホワイトボードマーカ等の文房具を入れる場合、蓋体２０の先端部２３の蓋体磁着部４０をケース本体２の背面側磁着部３０から外し、引っ張り紐７０を前方、下方の順に引っ張って第１、第２のラインファスナー５３、６３を一緒に開口３の下端縁近くまで開け、蓋体２０の先端側を前方へ湾曲させて開口３を開け、文房具（図示せず）を収納空間に入れる（先に第１、第２のラインファスナー５３、６３を開け、あとから蓋体磁着部４０を外しても良い）。そして、蓋体２０を開口３に沿って略Ｊ字状に湾曲させ、先端部２３をケース本体２の背面上端部へ回して蓋体磁着部４０を背面側磁着部３０に磁着させ、引っ張り紐７０を上方、後方の順に引っ張って第１、第２のラインファスナー５３、６３を一緒に上端まで締め、開口３を塞ぎながら蓋体２０をケース本体２に止着する。これにより、文房具を入れた文房具ケース１をカバン等に入れて携帯可能となる（先に第１、第２のラインファスナー５３、６３を締め、あとから蓋体磁着部４０を磁着させても良い）。蓋体２０が第１、第２のラインファスナー５３、６３に加えて、蓋体磁着部４０と背面側磁着部３０の磁着によっても閉じられるので、確実に閉状態に止着できる。
【００１５】
（２）文房具ケースを机の上に立てて使用
次に、文房具ケース１をスチール製の机の上に立てて使用したい場合、上記（１）で述べた手順で蓋体２０を開口３の下端近くを除いて開き、図６、図７に示す如く、ケース本体２を机８０の上面８１の上に立てた状態とするとともに蓋体２０を湾曲させて先端部２３の側を机８０に向けて曲げたあと、先端部２３が上面８１と略平行に接触するようにし、蓋体磁着部４０を机８０の上面８１に略平行に接触させて磁着させる。スチール等の磁性体製の机８０の上に文房具ケース１を立て、ケース本体２に収納した筆記具等の文房具を使用する際に、ケース本体２の底１２での支持に加えて蓋体磁着部４０が机８０に磁着することによっても支持されるので、良好な安定性が得られる。また、文房具ケース１は上下に長い箱形に形成されているので、机８０の上に立てたときに邪魔になりにくい。
【００１６】
（３）文房具ケースをホワイトボードに着けて使用
これと異なり、色や太さの異なる複数本のホワイトボードマーカを入れた文房具ケース１をスチール製のホワイドボードに着けて使用したい場合、図８に示す如く、蓋体２０を開け、ケース本体２の上下を縦向きにした状態で背面側磁着部３０、３１をホワイトボード９０に磁着させる。これにより、ユーザが書き込みをしている近くなど任意の所望箇所にケース本体２を配置して所望のホワイトボードマーカを容易に出し入れできるようになる。
【００１７】
（４）文房具ケースを机の前面に着けて使用
また文房具ケース１をスチール製の机の引き出し前面に着けて使用したい場合も、ホワイトボードに着ける場合と同様にして、蓋体２０を開け、ケース本体２の上下を縦向きにした状態で背面側磁着部３０、３１を机の引き出し前面に磁着させる。これにより、机の上の場所をとることなく、ユーザの近くにケース本体２を配置して所望の筆記具等を容易に出し入れできるようになる。
【００１８】
この実施例によれば、ケース本体２をスチール等の磁性体製の机８０の上面８１に立てた状態で、開口３の下端縁近くを除いて蓋体２０を開いて先端部２３を机８０に向けて曲げ、先端部２３の蓋体磁着部４０を机８０の上面８１に略並行に接触させて着脱自在に磁着可能としたことにより、机８０の上面８１に文房具ケース１を立てて、ケース本体２に収納した筆記具等の文房具を使用する際に、ケース本体２の底１２での支持に加えて蓋体磁着部４０が机８０の上面８１に磁着することによっても支持されるので、良好な安定性が得られる。また、ケース本体２が上下に長い箱形に形成されているので、机８０の上に立てたときに邪魔になりにくい。
また、蓋体２０を閉じたときの先端部２３が開口３の上部を越えてケース本体２の背面側に回り、蓋体磁着部４０が背面側磁着部３０と着脱自在に磁着可能としたことにより、蓋体２０を閉じたときに蓋体磁着部４０とケース本体２の背面側磁着部３０を磁着させることで、蓋体２０の先端部２３をケース本体２の背面側に確実に止着することができる。
また、ケース本体２に備えた背面側磁着部３０、３１をスチール等の磁性体製のホワイトボード９０に磁着可能としたことにより、ホワイトボード９０の内、ユーザが書き込みをしている近くなどの任意の所望場所に文房具ケース１を縦向きに装着させて、ケース本体２に収納したホワイトボードマーカ等の文房具を容易に出し入れして使用することができる。
また、スチール等の磁性体製の机の前面に縦向きに磁着させることにより、机の上の場所をとることなく、ユーザの近くにケース本体２を配置して所望の筆記具等を容易に出し入れできる。
【００１９】
なお、上記した実施例では、ケース本体の背面側に上下２つの磁石部材を含む背面側磁着部を備えるようにしたが、下側の背面側磁着部を省略してもよく、更に上側の背面側磁着部を磁性体部材を含み、磁石部材は含まない構成としても良い。或いは、上下いずれの背面側磁着部も省略しても良い。
また、ケース本体の上部から、前部の上下方向の途中まで開口を形成した例を示したが、ケース本体の前部の下端近くまで開口を形成しても良い。
また、上記した実施例では、机の上に立てる際、蓋体の先端部を机の上面と略平行に接触するようにし、蓋体磁着部を机の上面に略平行に接触させて磁着させるようにしたが、図９に示す文房具ケース１Ａの如く、ケース本体２の開口３の下側の前面外装部材５の裏面に、円盤状のネオジム磁石部材を含む前面側磁着部３２を備えておき、図１０、図１１に如く、ケース本体２をスチール等の磁性体製の机８０の上面８１に立てた状態で蓋体２０を開き、蓋体２０の先端部２３を机８０に向けて曲げたのちケース本体２の底部１２近くでケース本体２寄りに上方へ曲げると、蓋体磁着部４０がケース本体２の前面側磁着部３２に着脱自在に磁着するようにしても良い。図９乃至図１１の例によれば、スチール等の磁性体製の机８０の上面８１に文房具ケース１Ａを立てて、ケース本体２に収納した筆記具等の文房具を使用する際に、ケース本体２の底１２での支持に加えて輪状に曲げた蓋体２０の下端部によっても支持させることができ、良好な安定性が得られる。
また、上記した実施例では、第１、第２の二組のラインファスナーによって蓋体を開閉自在としたが、スナップボタン、面ファスナーなど他の種類の止着手段を用いても良い。
【産業上の利用可能性】
【００２０】
本考案は、ボールペーン、鉛筆、直定規、消しゴム、ホワイトボードマーカ等の文房具の収納具に適用可能である。
【符号の説明】
【００２１】
１  文房具ケース
２  ケース本体
３  開口
２０  蓋体
２３  先端部
３０、３１  背面側磁着部
４０  蓋体磁着部
５３  第１のラインファスナー
６３  第２のラインファスナー
７０  引っ張り紐
８０  机
９０  ホワイトボード
【図１】
0003214771.tif 000003
【図２】
0003214771.tif 000004
【図３】
0003214771.tif 000005
【図４】
0003214771.tif 000006
【図５】
0003214771.tif 000007
【図６】
0003214771.tif 000008
【図７】
0003214771.tif 000009
【図８】
0003214771.tif 000010
【図９】
0003214771.tif 000011
【図１０】
0003214771.tif 000012
【図１１】
0003214771.tif 000013